(57)【要約】【課題】  再生される楽曲の演出効果を高めるための楽曲関連情報を出力する。【解決手段】  生成部７５０が、再生指定された楽曲の属性情報に含まれるジャンル情報及び特徴情報に含まれる曲調情報に基づいて、楽曲の態様を特定する。次いで、生成部７５０は、記憶部７１０に設定されている複数の定型文の中から、特定された楽曲の態様に適合した一の定型文を選択する。そして、生成部７５０は、選択された一の定型文に、再生指定された楽曲の作製年、楽曲名、アーティスト名等の属性情報の内容を含めた楽曲関連情報を生成する。制御部７９０が、再生指定された楽曲の属性情報及び特徴情報に基づいて、楽曲関連情報の出力音声の速度、高低、イントネーション、及び、強弱を変化させる制御を行う。【選択図】  図１
2018112642.tif 000002
【特許請求の範囲】
【請求項１】
楽曲の属性情報及び前記楽曲の特徴情報の少なくとも一方から特定される前記楽曲の態様に基づき、設定されている複数の定型文の中から一の定型文を選択し、前記一の定型文に前記属性情報の内容を含めた楽曲関連情報を生成する生成部と；
前記属性情報及び前記特徴情報に基づき、前記楽曲関連情報の出力態様を制御する制御部と；
を備える情報出力装置。
【請求項２】
前記楽曲の態様を特定する前記属性情報には、前記楽曲のジャンル情報が含まれ、
前記楽曲の態様を特定する前記特徴情報には、前記楽曲の曲調情報が含まれる、
ことを特徴とする請求項１に記載の情報出力装置。
【請求項３】
前記楽曲関連情報に含める前記属性情報の内容には、前記楽曲の楽曲名情報、アーティスト名情報及び作製年情報の少なくとも１つが含まれる、ことを特徴とする請求項１又は２に記載の情報出力装置。
【請求項４】
前記特徴情報には、前記楽曲のテンポ情報が含まれ、
前記制御部は、前記テンポ情報に基づき、前記楽曲関連情報の出力音声の速度を変化させる、
ことを特徴とする請求項１〜３のいずれか一項に記載の情報出力装置。
【請求項５】
前記制御部は、前記特定された楽曲の態様に基づき、前記楽曲関連情報の出力音声の高低、イントネーション、及び、強弱の少なくとも１つの態様を変化させる、ことを特徴とする請求項１〜４のいずれか一項に記載の情報出力装置。
【請求項６】
前記楽曲の音出力及び前記楽曲関連情報の音声出力を行う出力部を更に備える、ことを特徴とする請求項１〜５のいずれか一項に記載の情報出力装置。
【請求項７】
生成部と、制御部とを備える情報出力装置において使用される情報出力方法であって、
前記生成部が、楽曲の属性情報及び前記楽曲の特徴情報の少なくとも一方から特定される前記楽曲の態様に基づき、設定されている複数の定型文の中から一の定型文を選択し、前記一の定型文に前記属性情報の内容を含めた楽曲関連情報を生成する生成工程と；
前記制御部が、前記属性情報及び前記特徴情報に基づき、前記楽曲関連情報の出力態様を制御する制御工程と；
を備える情報出力方法。
【請求項８】
情報出力装置が有するコンピュータに、請求項７に記載の情報出力方法を実行させる、ことを特徴とする情報出力プログラム。
【請求項９】
情報出力装置が有するコンピュータにより読み取り可能に、請求項８に記載の情報出力プログラムが記録されている、ことを特徴とする記録媒体。
【発明の詳細な説明】
【技術分野】
【０００１】
本発明は、情報出力装置、情報出力方法及び情報出力プログラム、並びに、当該情報出力プログラムが記録された記録媒体に関する。
【背景技術】
【０００２】
従来から、楽曲コンテンツを再生する再生装置が広く普及している。こうした再生装置の中には、楽曲のみを再生するのではなく、再生される楽曲の曲名等の楽曲に関する情報を知りたいといった利用者の要望に応えるため、楽曲の再生出力とともに、楽曲に関する情報の紹介文の音声出力を行うものがある。そして、このような楽曲に関する情報の紹介文を音声出力する再生装置については、再生される楽曲の演出効果を高めるための様々な技術が提案されている。
【０００３】
かかる提案技術の一つとして、楽曲の種別（ジャンル等）に応じた曲紹介を行うものがある（特許文献１参照：以下、「従来例１」と呼ぶ）。この従来例１の技術では、所定の選択条件に合った楽曲を選択する。引き続き、再生される楽曲の種別に基づいて、複数の基本文の中から曲紹介に用いる基本文を決定し、当該決定された基本文に曲紹介を行うべき楽曲固有の情報を埋め込んで、紹介文を作成する。そして、楽曲固有の情報を埋め込んだ紹介文の音声データに対応する音声を、再生出力している。
【０００４】
また、他の提案技術として、現在日時や現在位置に応じた楽曲に関する紹介を行うものがある（特許文献２参照：以下、「従来例２」と呼ぶ）。この従来例２の技術では、車両に搭載された音楽装置であって、現在日時や現在位置に合った楽曲を選択する。引き続き、複数のトークデータの中から、選択した楽曲の選曲理由を内容とするトークデータを選択する。そして、選択されたトークデータに対応する音声を、再生出力している。
【先行技術文献】
【特許文献】
【０００５】
【特許文献１】特開２００５−１３５５１８号公報
【特許文献２】特開２００６−２９３６９７号公報
【発明の概要】
【発明が解決しようとする課題】
【０００６】
上述した従来例１の技術では、一般曲の場合には、「○○○○（歌手名）の曲」といった基本文を選択し、例えば、楽曲のジャンルがバラードの場合には、「○○○○（歌手名）のバラード」といった基本文を選択する。このように、従来例１の技術では、楽曲のジャンルがバラードの場合には、再生される楽曲がバラードであることを紹介するだけで、バラードに合った曲紹介が行われているとは言えない。この結果、従来例１の技術では、再生される楽曲の態様（以下、「楽曲の雰囲気」ともいう）に合った楽曲に関する情報の紹介が行われているとは言い難く、再生される楽曲の演出効果を更に高める余地が十分に残っている。
【０００７】
また、従来例２の技術では、例えば、楽曲選択を行った時間が午前７：００のときには、「さわやかな朝にぴったりの、この曲をお届けします。」といったトークデータを選択する。また、楽曲選択を行った場所が海沿いのときには、「海沿いのドライブにぴったりの、この曲をお届けします。」といったトークデータを選択する。このように、従来例２の技術では、現在日時や現在位置に関する案内を楽曲の再生出力とともに行い、再生される楽曲の曲名やジャンルといった楽曲の属性情報の紹介や、楽曲の雰囲気に合った曲紹介を行うようにはなっていない。このように、従来例２の技術でも、再生される楽曲の演出効果を更に高める余地が十分に残っている。
【０００８】
このため、再生される楽曲の演出効果を高めるための楽曲関連情報を出力することができる技術が望まれている。かかる要請に応えることが、本発明が解決すべき課題の一つとして挙げられる。
【課題を解決するための手段】
【０００９】
請求項１に記載の発明は、楽曲の属性情報及び前記楽曲の特徴情報の少なくとも一方から特定される前記楽曲の態様に基づき、設定されている複数の定型文の中から一の定型文を選択し、前記一の定型文に前記属性情報の内容を含めた楽曲関連情報を生成する生成部と；前記属性情報及び前記特徴情報に基づき、前記楽曲関連情報の出力態様を制御する制御部と；を備える情報出力装置である。
【００１０】
請求項７に記載の発明は、生成部と、制御部とを備える情報出力装置において使用される情報出力方法であって、前記生成部が、楽曲の属性情報及び前記楽曲の特徴情報の少なくとも一方から特定される前記楽曲の態様に基づき、設定されている複数の定型文の中から一の定型文を選択し、前記一の定型文に前記属性情報の内容を含めた楽曲関連情報を生成する生成工程と；前記制御部が、前記属性情報及び前記特徴情報に基づき、前記楽曲関連情報の出力態様を制御する制御工程と；を備える情報出力方法である。
【００１１】
請求項８に記載の発明は、情報出力装置が有するコンピュータに、請求項７に記載の情報出力方法を実行させる、ことを特徴とする情報出力プログラムである。
【００１２】
請求項９に記載の発明は、情報出力装置が有するコンピュータにより読み取り可能に、請求項８に記載の情報出力プログラムが記録されている、ことを特徴とする記録媒体である。
【図面の簡単な説明】
【００１３】
【図１】本発明の一実施形態に係る情報出力装置の構成を示すブロック図である。
【図２】本発明の一実施例に係る情報出力装置の構成を概略的に示すブロック図である。
【図３】図２の記憶ユニットに記憶される楽曲コンテンツ情報の内容を説明するための図である。
【図４】図３の属性情報の内容を説明するための図である。
【図５】図３の特徴情報の内容を説明するための図である。
【図６】図２の記憶ユニットに記憶される定型文情報の内容を説明するための図である。
【図７】図２の情報出力装置による楽曲関連情報の音声再生計画の作成処理を説明するためのフローチャートである。
【図８】図７の楽曲関連情報の生成処理を説明するためのフローチャートである。
【図９】図８の楽曲の雰囲気の特定処理及び定型文の暫定選定処理を説明するための図である。
【図１０】図８の定型文の決定処理を説明するための図である。
【図１１】図７の出力態様の決定処理を説明するためのフローチャートである。
【図１２】図１１の速度態様の設定処理を説明するためのフローチャートである。
【図１３】図１１の高低音態様、イントネーション態様及び強弱態様の設定処理を説明するための図である。
【図１４】図１１の出力態様の決定処理を説明するための図である。
【図１５】図７の出力タイミングの決定処理を説明するためのフローチャートである。
【図１６】図１５の非ボーカル区間への設定処理を説明するためのフローチャートである。
【図１７】図２の情報出力装置による楽曲関連情報の出力処理を説明するためのフローチャートである。
【発明を実施するための形態】
【００１４】
以下、本発明の一実施形態を、図１を参照して説明する。なお、以下の説明及び図面においては、同一又は同等の要素には同一の符号を付し、重複する説明を省略する。
【００１５】
［構成］
図１には、一実施形態に係る情報出力装置７００の構成がブロック図にて示されている。
【００１６】
情報出力装置７００は、図１に示されるように、記憶部７１０と、楽曲再生部７２０と、楽曲情報取得部７３０とを備えている。また、情報出力装置７００は、生成部７５０と、音声再生部７６０と、出力部７８０と、制御部７９０とを備えている。
【００１７】
上記の記憶部７１０は、不揮発性の記憶素子を備えて構成される。当該記憶部７１０には、楽曲コンテンツ情報及び定型文情報が記憶される。
【００１８】
楽曲コンテンツ情報には、楽曲コンテンツ情報＃１，＃２，…，＃Ｐが含まれる。当該楽曲コンテンツ情報＃ｐ（ｐ＝１，２，…，Ｐ）には、楽曲コンテンツ識別子＃ｐ、楽曲音データ＃ｐ、楽曲の属性情報＃ｐ及び楽曲の特徴情報＃ｐが含まれる。
【００１９】
楽曲の属性情報＃ｐには、楽曲コンテンツ識別子＃ｐに対応する楽曲コンテンツの作製年情報＃ｐ、楽曲名情報＃ｐ、アーティスト名情報＃ｐ、ジャンル情報＃ｐが含まれている。また、楽曲の特徴情報＃ｐには、楽曲コンテンツ識別子＃ｐに対応する楽曲の曲調情報＃ｐ及びテンポ情報＃ｐが含まれている。これらの楽曲の特徴情報は、事前に楽曲音データ＃ｐを楽曲解析することにより、得られるようになっている。
【００２０】
定型文情報には、楽曲関連情報を生成するために予め設定された複数の定型文が含まれる。当該定型文情報に含まれる定型文それぞれは、本実施形態では、楽曲の属性情報及び楽曲の特徴情報から特定される楽曲の雰囲気に関連して対応付けられている。
【００２１】
上記の楽曲再生部７２０は、制御部７９０から送られた楽曲再生指令に従って、記憶部７１０から、再生指定された楽曲の楽曲音データを読み取る。そして、楽曲再生部７２０は、当該楽曲音データに所定の音質調整処理等を施して、楽曲再生データを生成する。こうして生成された楽曲再生データは、出力部７８０へ送られる。
【００２２】
上記の楽曲情報取得部７３０は、制御部７９０から送られた楽曲を指定した楽曲情報の取得指令を受けると、記憶部７１０から、当該指定された楽曲の属性情報及び特徴情報を取得する。こうして取得された楽曲の属性情報及び特徴情報は、生成部７５０及び制御部７９０へ送られる。
【００２３】
上記の生成部７５０は、楽曲情報取得部７３０から送られた楽曲の属性情報及び特徴情報を受ける。楽曲の属性情報及び特徴情報を受けると、生成部７５０は、当該楽曲の属性情報及び特徴情報から楽曲の雰囲気を特定する。本実施形態では、楽曲の雰囲気を特定する属性情報として、楽曲のジャンル情報を採用する。また、本実施形態では、楽曲の雰囲気を特定する特徴情報として、楽曲の曲調情報を採用する。また、本実施形態では、特定される楽曲の雰囲気としては、「落ち着いた雰囲気」、「標準的な雰囲気」、「高揚感のある、いわゆるノリのよい雰囲気」等がある。
【００２４】
引き続き、生成部７５０は、特定された楽曲の雰囲気に基づいて、記憶部７１０に予め用意されている複数の定型文の中から一の定型文を選択する。本実施形態では、特定された楽曲の雰囲気が「落ち着いた雰囲気」のときには、生成部７５０は、音声にしたときに落ち着いた雰囲気となる文体の定型文を選択する。また、特定された楽曲の雰囲気が「標準的な雰囲気」のときには、生成部７５０は、音声にしたときに標準的な雰囲気となる文体の定型文を選択する。さらに、特定された楽曲の雰囲気が「いわゆるノリのよい雰囲気」のときには、生成部７５０は、音声にしたときにノリのよい雰囲気となる文体の定型文を選択する。このようにして、一の定型文を選択すると、生成部７５０は、選択された一の定型文に、属性情報の内容を含めた楽曲関連情報を生成する。こうして生成された楽曲関連情報は、音声再生部７６０へ送られる。
【００２５】
上記の音声再生部７６０は、生成部７５０から送られた楽曲関連情報を受ける。また、音声再生部７６０は、制御部７９０から送られた音声再生指令を受ける。そして、音声再生部７６０は、楽曲関連情報から音声再生指令に従った態様の音声再生データを生成する。こうして生成された音声再生データは、出力部７８０へ送られる。
【００２６】
上記の出力部７８０は、スピーカを備えて構成される。当該出力部７８０は、楽曲再生部７２０から送られた楽曲再生データを受ける。また、出力部７８０は、音声再生部７６０から送られた音声再生データを受ける。そして、出力部７８０は、楽曲再生データ及び音声再生データの双方を受けている期間においては、当該楽曲再生データに対応する音に音声再生データに対応する音を重畳させた出力音（以下、「重畳音」とも記す）を再生出力する。
【００２７】
上記の制御部７９０は、不図示の入力部から送られた入力データの内容が楽曲コンテンツの再生指定である場合には、当該楽曲コンテンツを指定（楽曲コンテンツ識別子＃ｐを指定）した楽曲情報の取得指令を生成する。そして、制御部７９０は、生成された楽曲情報の取得指令を楽曲情報取得部７３０へ送る。
【００２８】
また、制御部７９０は、楽曲情報取得部７３０から送られた楽曲の属性情報及び特徴情報を受ける。そして、制御部７９０は、当該楽曲の属性情報及び特徴情報に基づいて、楽曲関連情報の出力態様を決定する。楽曲関連情報の出力態様を決定すると、制御部７９０は、決定された楽曲関連情報の出力態様の内容に基づいて、音声再生計画を作成する。音声再生計画を作成すると、制御部７９０は、楽曲コンテンツを指定した楽曲再生指令を生成して楽曲再生部７２０へ送る。また、制御部７９０は、音声再生計画に従った音声再生指令を生成して音声再生部７６０へ送り、楽曲関連情報の出力態様を制御する。制御部７９０による処理の詳細については、後述する。
【００２９】
［動作］
上記のように構成された情報出力装置７００の動作について、生成部７５０による処理、及び、制御部７９０による処理に主に着目して説明する。
【００３０】
情報出力装置７００による楽曲関連情報の出力処理については、不図示の入力部に楽曲コンテンツの再生指定が入力され、制御部７９０が、当該再生指定を内容とする入力データを受けると開始する。制御部７９０は、当該入力データを受けると、再生指定された楽曲を指定した取得指令を生成し、楽曲情報取得部７３０へ送る。
【００３１】
楽曲情報取得部７３０は、制御部７９０から送られた取得指令を受けると、記憶部７１０から、再生指定された楽曲の属性情報及び特徴情報を取得する。そして、楽曲情報取得部７３０は、当該楽曲の属性情報及び特徴情報を、生成部７５０及び制御部７９０へ送る。
【００３２】
再生指定された楽曲の属性情報及び特徴情報を受けた生成部７５０は、まず、当該楽曲の属性情報に含まれるジャンル情報及び特徴情報に含まれる曲調情報に基づいて、楽曲の雰囲気を特定する。次に、生成部７５０は、記憶部７１０にアクセスして、定型文情報として予め用意されている複数の定型文の中から、特定された楽曲の雰囲気に適合した一の定型文を選択する。
【００３３】
次いで、生成部７５０は、選択された一の定型文に、再生指定された楽曲の作製年、楽曲名、アーティスト名等の属性情報の内容を含ませて楽曲関連情報を生成する。そして、生成部７５０は、生成された楽曲関連情報を音声再生部７６０へ送る。
【００３４】
再生指定された楽曲の属性情報及び特徴情報を受けた制御部７９０は、生成部７５０により生成された楽曲関連情報の出力態様を決定する。かかる楽曲関連情報の出力態様の決定に際して、制御部７９０は、楽曲の特徴情報に含まれる楽曲のテンポ情報に基づいて、楽曲関連情報の出力音声の速度態様を変化させる。本実施形態では、楽曲のテンポが、第１所定値以下の場合には、制御部７９０は、楽曲関連情報の出力音声の速度を通常の話速よりも遅くするように決定する。このように、楽曲関連情報の出力音声の速度を通常の話速よりも遅くすることで、楽曲関連情報の出力音声を明瞭に聞き取ることができる。
【００３５】
また、楽曲のテンポが第１所定値より大きく、かつ、第２所定値以下の場合には、制御部７９０は、楽曲関連情報の出力音声の速度を通常の話速にするように決定する。このように、楽曲関連情報の出力音声の速度を通常の話速にすることで、いわゆる楽曲のノリを考慮した楽曲関連情報の音声出力を行うとともに、楽曲関連情報の出力音声を聞き取ることができる。
【００３６】
また、楽曲のテンポが第２所定値より大きい場合には、制御部７９０は、楽曲関連情報の出力音声の速度を通常の話速よりも速くするように決定する。このように、楽曲関連情報の出力音声の速度を通常の話速よりも速くすることで、いわゆる楽曲のノリを重視した楽曲関連情報の音声出力を行うことができる。
【００３７】
ここで、第１所定値及び第２所定値は、楽曲のテンポに合った楽曲関連情報の音声出力を行うとの観点から、実験、シミュレーション、経験等に基づいて、予め定められる。
【００３８】
また、楽曲関連情報の出力態様の決定に際して、制御部７９０は、楽曲の属性情報に含まれる楽曲のジャンル情報及び楽曲の特徴情報に含まれる楽曲の曲調情報から、楽曲の雰囲気を特定する。そして、制御部７９０は、特定された楽曲の雰囲気に基づいて、楽曲関連情報の出力音声の高低、イントネーション、及び、強弱の態様を変化させる。本実施形態では、特定された楽曲の雰囲気が「落ち着いた雰囲気」のときには、制御部７９０は、楽曲関連情報の出力音声の周波数を低めに設定し、楽曲関連情報の出力音声のイントネーションを通常にし、楽曲関連情報の出力音声の最後をやや弱くするように決定する。このような楽曲関連情報の出力態様にすることで、「落ち着いた雰囲気」の楽曲に合った楽曲関連情報の音声出力を行うことができる。
【００３９】
また、特定された楽曲の雰囲気が「標準的な雰囲気」のときには、制御部７９０は、楽曲関連情報の出力音声の周波数を標準に設定し、楽曲関連情報の出力音声のイントネーションを通常にし、楽曲関連情報の出力音声の最後に強弱の変化をさせないようにするように決定する。このような楽曲関連情報の出力態様にすることで、「標準的な雰囲気」の楽曲に合った楽曲関連情報の音声出力を行うことができる。
【００４０】
また、特定された楽曲の雰囲気が「いわゆるノリのよい雰囲気」のときには、制御部７９０は、楽曲関連情報の出力音声の周波数を高めに設定し、楽曲関連情報の出力音声のイントネーションを上がり調子にし、楽曲関連情報の出力音声の最後にやや強くするように決定する。このような楽曲関連情報の出力態様にすることで、「いわゆるノリのよい雰囲気」の楽曲に合った楽曲関連情報の音声出力を行うことができる。
【００４１】
こうして楽曲関連情報の出力態様を決定すると、制御部７９０は、決定された出力態様の内容を含む音声再生計画を作成する。制御部７９０は、音声再生計画を作成すると、楽曲コンテンツを指定した楽曲再生指令を生成して楽曲再生部７２０へ送る。また、制御部７９０は、音声再生計画に従った音声再生指令を生成して音声再生部７６０へ送り、楽曲関連情報の出力態様を制御する。
【００４２】
楽曲再生部７２０は、制御部７９０から送られた楽曲再生指令を受けると、記憶部７１０から、再生指定された楽曲の楽曲音データを読み取り、当該楽曲音データに所定の音質調整処理等を施して、楽曲再生データを生成する。そして、楽曲再生部７２０は、生成された楽曲再生データを、出力部７８０へ送る。
【００４３】
音声再生部７６０は、制御部７９０から送られた音声再生指令を受けると、楽曲関連情報から音声再生指令に従った態様の音声再生データを生成する。そして、音声再生部７６０は、生成された音声再生データを、出力部７８０へ送る。
【００４４】
この結果、出力部７８０から、楽曲再生データに基づく楽曲音、及び、音声再生データに基づく音声が再生出力される。なお、音声再生データに基づく音声の出力期間においては、楽曲再生データに基づく楽曲音に音声再生データに基づく音声が重畳した重畳音が、出力部７８０から出力される。本実施形態では、再生指定された楽曲の非ボーカル区間に、音声再生データに基づく音声が再生出力されるようになっている。
【００４５】
以上説明したように、本実施形態では、生成部７５０が、再生指定された楽曲の属性情報に含まれるジャンル情報及び特徴情報に含まれる曲調情報に基づいて、楽曲の雰囲気を特定する。次いで、生成部７５０は、記憶部７１０に予め用意されている複数の定型文の中から、特定された楽曲の雰囲気に適合した一の定型文を選択する。そして、生成部７５０は、選択された一の定型文に、再生指定された楽曲の作製年、楽曲名、アーティスト名等の属性情報の内容を含めた楽曲関連情報を生成する。このため、再生指定された楽曲の雰囲気に合った楽曲関連情報を生成することができる。
【００４６】
また、本実施形態では、制御部７９０が、再生指定された楽曲の属性情報及び特徴情報に基づいて、楽曲関連情報の出力音声の速度、高低、イントネーション、及び、強弱を変化させる制御を行う。このため、再生指定された楽曲の雰囲気に合った出力態様で、楽曲関連情報の音声出力を行うことができる。
【００４７】
したがって、本実施形態によれば、再生される楽曲の演出効果を高めるための楽曲関連情報を出力することができる。
【００４８】
［実施形態の変形］
本発明は、上記の実施形態に限定されるものではなく、様々な変形が可能である。
【００４９】
例えば、上記の実施形態では、楽曲の属性情報に含まれるジャンル情報及び特徴情報に含まれる曲調情報に基づいて、楽曲の雰囲気を特定した。これに対し、楽曲のジャンル情報のみに基づいて楽曲の雰囲気を特定してもよいし、また、楽曲の曲調情報のみに基づいて楽曲の雰囲気を特定するようにしてもよい。
【００５０】
また、上記の実施形態では、楽曲のジャンル情報及び曲調情報に基づいて、楽曲関連情報の出力態様を制御するようにした。これに対し、楽曲のジャンル情報のみに基づいて楽曲関連情報の出力態様を制御してもよいし、また、楽曲の曲調情報のみに基づいて楽曲関連情報の出力態様を制御するようにしてもよい。
【００５１】
また、上記の実施形態では、楽曲関連情報の出力態様として、楽曲関連情報の出力音声の速度、高低、イントネーション、及び、強弱を変化させる制御を行うことにした。これに対し、これらの態様のうちから任意に選択された一又は複数の態様について、楽曲関連情報の出力制御を行うようにしてもよい。
【００５２】
また、上記の実施形態では、楽曲の属性情報には、楽曲コンテンツの作製年情報、楽曲名情報、アーティスト名情報、ジャンル情報が含まれるようにしたが、更に、楽曲が再生されているコマーシャル情報やテレビ番組の主題歌情報等が含まれるようにしてもよい。この場合には、楽曲が再生されているコマーシャル情報やテレビ番組を、楽曲関連情報に含めるようにすることができる。
【００５３】
また、上記の実施形態では、非ボーカル区間情報を、楽曲の特徴情報に含めることにした。これに対し、楽曲の属性情報に、非ボーカル区間情報を含めてもよいし、又、楽曲の特徴情報及び楽曲の属性情報の双方に、非ボーカル区間情報を含めるようにしてもよい。
【００５４】
なお、上記の実施形態における情報出力装置の生成部及び制御部を、中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、上記の実施形態における生成部及び制御部の一部又は全部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００５５】
以下、本発明の一実施例を、図２〜図１７を参照して説明する。なお、以下の説明及び図面においては、同一又は同等の要素については同一の符号を付し、重複する説明を省略する。
【００５６】
［構成］
図２には、一実施例に係る情報出力装置１００の概略的な構成がブロック図にて示されている。情報出力装置１００は、上述した一実施形態に係る情報出力装置７００（図１参照）の一態様となっている。
【００５７】
情報出力装置１００は、図２に示されるように、処理制御ユニット１１０と、記憶ユニット１２０とを備えている。また、情報出力装置１００は、音出力ユニット１４０と、入力ユニット１５０とを備えている。
【００５８】
上記の処理制御ユニット１１０は、情報出力装置１００の全体を統括制御するとともに、様々な処理を実行する。当該処理制御ユニット１１０は、演算手段としての中央処理装置（ＣＰＵ）、ＤＳＰ（Digital Signal Processor）及びその周辺回路を備えて構成されている。処理制御ユニット１１０が様々なプログラムを実行することにより、情報出力装置１００としての各種機能が実現されるようになっている。こうした機能の中には、上述した実施形態における楽曲再生部７２０、楽曲情報取得部７３０、生成部７５０、音声再生部７６０及び制御部７９０の機能も含まれている。かかる処理制御ユニット１１０が実行する処理の詳細については、後述する。
【００５９】
なお、処理制御ユニット１１０が実行するプログラムは、ハードディスク、ＣＤ−ＲＯＭ、ＤＶＤ等のコンピュータで読み取り可能な記録媒体に記録され、当該記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【００６０】
上記の記憶ユニット１２０は、ハードディスク装置等の不揮発性の記憶装置を備えて構成され、情報出力装置１００において利用される様々な情報データが記憶される。こうした情報データには、楽曲コンテンツ情報ＭＣＤ、定型文情報ＰＲＳ、聴取情報ＬＩＳ等が含まれている。記憶ユニット１２０には、処理制御ユニット１１０がアクセスできるようになっている。すなわち、記憶ユニット１２０は、上述した記憶部７１０の機能を果たすようになっている。
【００６１】
上記の楽曲コンテンツ情報ＭＣＤには、図３に示されるように、楽曲コンテンツ情報＃１，＃２，…，＃Ｐが含まれる。当該楽曲コンテンツ情報＃ｐ（ｐ＝１，２，…，Ｐ）には、楽曲コンテンツ識別子＃ｐ、楽曲音データ＃ｐ、楽曲の属性情報＃ｐ及び楽曲の特徴情報＃ｐが含まれる。
【００６２】
上記の楽曲の属性情報＃ｐには、本実施例では、図４に示されるように、楽曲コンテンツ識別子＃ｐに対応する楽曲コンテンツの作製年情報＃ｐ、楽曲名情報＃ｐ、アーティスト名情報＃ｐ、ジャンル情報＃ｐが含まれている。
【００６３】
上記の楽曲の特徴情報＃ｐには、本実施例では、図５に示されるように、楽曲コンテンツ識別子＃ｐに対応する楽曲の曲調情報＃ｐ、テンポ情報＃ｐ及び非ボーカル区間情報＃ｐが含まれている。ここで、非ボーカル区間情報＃ｐには、楽曲を再生したときの非ボーカル区間（イントロ区間、間奏区間、アウトロ区間）の位置、時間長等が含まれている。これらの楽曲の特徴情報は、事前に楽曲音データ＃ｐを楽曲解析することにより、得られるようになっている。
【００６４】
上記の定型文情報ＰＲＳには、楽曲関連情報を生成するために予め用意された複数の定型文が含まれる。本実施例では、定型文情報ＰＲＳには、図６に示されるように、定型文１、定型文２、定型文３、…の複数の定型文が含まれている。
【００６５】
ここで、定型文１から定型文３の「Ｙ（作製年）」、「Ａ（アーティスト名）」、「Ｓ（楽曲名）」には、それぞれ、属性情報＃ｐの作製年情報＃ｐ、楽曲名情報＃ｐ、アーティスト名情報＃ｐが埋め込まれるようになっている。なお、定型文３の「Ｙ（作製年）」は、英語変換される。例えば、作製年情報＃ｐの内容が「１９８２年」の場合には、「エイティートゥー」に変換される。これらの定型文は、本実施例では、処理制御ユニット１１０により、楽曲の属性情報及び楽曲の特徴情報から特定される楽曲の雰囲気、及び、利用者の聴取履歴を含む聴取情報に応じて選択されるようになっている。
【００６６】
上記の聴取情報ＬＩＳには、楽曲のジャンルごとの利用者の聴取履歴が含まれている。当該聴取情報ＬＩＳは、処理制御ユニット１１０により作成又は更新される。
【００６７】
図２に戻り、上記の音出力ユニット１４０は、スピーカを備えて構成される。この音出力ユニット１４０は、処理制御ユニット１１０から送られた出力音データを受ける。そして、音出力ユニット１４０は、処理制御ユニット１１０による制御のもとで、当該出力音データに対応する出力音を再生出力する。
【００６８】
上記の入力ユニット１５０は、情報出力装置１００の本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。
【００６９】
当該入力ユニット１５０を利用者が操作することにより、情報出力装置１００の動作内容の設定や動作指令の入力が行われる。例えば、楽曲を指定した再生指定等の利用者による入力が、入力ユニット１５０を利用して行われる。入力ユニット１５０への入力内容は、入力データとして、処理制御ユニット１１０へ送られる。
【００７０】
［動作］
以上のようにして構成された情報出力装置１００の動作について、処理制御ユニット１１０による楽曲関連情報の出力処理に主に着目して説明する。
【００７１】
＜楽曲関連情報の音声再生計画の作成処理＞
まず、処理制御ユニット１１０による楽曲関連情報の音声再生計画の作成処理について説明する。楽曲コンテンツ及び楽曲関連情報の音声出力処理は、音声再生計画の作成後に、直ちに行われる。
【００７２】
楽曲関連情報の音声再生計画の作成処理に際しては、図７に示されるように、まず、ステップＳ１１において、処理制御ユニット１１０が、入力ユニット１５０に楽曲コンテンツの再生指定が入力され、当該再生指定を内容とする入力データを受けたか否かを判定する。この判定の結果が否定的であった場合（ステップＳ１１：Ｎ）には、ステップＳ１１の処理が繰り返される。
【００７３】
入力ユニット１５０に楽曲コンテンツの再生指定が入力され、ステップＳ１１における判定の結果が肯定的になると（ステップＳ１１：Ｙ）、処理はステップＳ１２へ進む。ステップＳ１２では、処理制御ユニット１１０が、記憶ユニット１２０にアクセスして、再生指定された楽曲コンテンツ識別子に対応する楽曲の属性情報及び特徴情報を取得する。引き続き、ステップＳ１３において、処理制御ユニット１１０が、記憶ユニット１２０にアクセスして、再生指定された楽曲コンテンツ識別子に対応する楽曲のジャンルについての利用者の聴取履歴を取得する。そして、処理制御ユニット１１０は、当該取得履歴から利用者の楽曲のジャンルに対する習熟度を判別し、当該判別された習熟度に基づいて、利用者を「初心者」、「中級者」及び「上級者」のいずれかに区分けする。この後、処理はステップＳ１４へ進む。
【００７４】
ステップＳ１４では、処理制御ユニット１１０が、「楽曲関連情報の生成処理」を行う。かかるステップＳ１４の処理の詳細については、後述する。そして、ステップＳ１４の処理が終了すると、処理はステップＳ１５へ進む。
【００７５】
ステップＳ１５では、処理制御ユニット１１０が、「楽曲関連情報の出力態様の決定処理」を行う。かかるステップＳ１５の処理の詳細については、後述する。そして、ステップＳ１５の処理が終了すると、処理はステップＳ１６へ進む。
【００７６】
ステップＳ１６では、処理制御ユニット１１０が、「楽曲関連情報の出力タイミングの決定処理」を行う。かかるステップＳ１６の処理の詳細については、後述する。そして、ステップＳ１６の処理が終了すると、処理はステップＳ１７へ進む。
【００７７】
ステップＳ１７では、処理制御ユニット１１０が、決定された出力態様の内容及び出力タイミングを含んだ音声再生計画を作成する。こうして音声再生計画が作成されると、楽曲関連情報の音声再生計画の作成処理が終了する。
【００７８】
《楽曲関連情報の生成処理》
上述したステップＳ１４における「楽曲関連情報の生成処理」について、説明する。
【００７９】
この「楽曲関連情報の生成処理」は、図８に示されるように、まず、ステップＳ２１において、処理制御ユニット１１０が、再生指定された楽曲の属性情報に含まれるジャンル情報から、楽曲の雰囲気を特定する。引き続き、ステップＳ２２において、特定された楽曲の雰囲気に基づいて、記憶ユニット１２０に予め記憶されている複数の定型文の中から、特定された楽曲の雰囲気に合った定型文を暫定選択する。ステップＳ２１，Ｓ２２の処理の例については、後述する。
【００８０】
引き続き、ステップＳ２３において、処理制御ユニット１１０が、利用者のジャンルに対する習熟度に応じて、暫定選択された定型文を適宜変更して、最終的な定型文を決定する。ステップＳ２３の処理の例については、後述する。
【００８１】
ステップＳ２３の処理が終了すると、ステップＳ１４の処理が終了する。そして、処理は上述した図７のステップＳ１５へ進む。
【００８２】
ここで、ステップＳ２１，Ｓ２２の処理に際して、本実施例では、図９に示されるように、再生指定された楽曲のジャンルが、ボサノバ、又は、クラシック（以下、ボサノバ、クラシックを「ジャンル１」とも記す）のときには、処理制御ユニット１１０は、楽曲の雰囲気は「落ち着いた雰囲気」であると特定する。そして、特定された楽曲の雰囲気が「落ち着いた雰囲気」のときには、処理制御ユニット１１０は、音声にしたときに落ち着いた雰囲気となる文体の定型文を暫定的に選択する。本実施例では、特定された楽曲の雰囲気が「落ち着いた雰囲気」のときには、定型文１を暫定的に選択するようになっている。
【００８３】
また、本実施例では、再生指定された楽曲のジャンルがポップス（邦楽）（以下、ポップス（邦楽）を「ジャンル２」とも記す）のときには、処理制御ユニット１１０は、楽曲の雰囲気は「標準的な雰囲気」であると特定する。そして、特定された楽曲の雰囲気が「標準的な雰囲気」のときには、処理制御ユニット１１０は、音声にしたときに標準的な雰囲気となる文体の定型文を暫定的に選択する。本実施例では、特定された楽曲の雰囲気が「標準的な雰囲気」のときには、定型文２を暫定的に選択する。
【００８４】
また、本実施例では、再生指定された楽曲のジャンルがポップス（洋楽）、ファンクミュージック、ＥＤＭ（Electronic Dance Music）（以下、ポップス（洋楽）、ファンクミュージック、ＥＤＭを「ジャンル３」とも記す）のときには、処理制御ユニット１１０は、楽曲の雰囲気は「高揚感のある、いわゆるノリのよい雰囲気」であると特定する。そして、特定された楽曲の雰囲気が「ノリのよい雰囲気」のときには、処理制御ユニット１１０は、音声にしたときにノリのよい雰囲気となる文体の定型文を暫定的に選択する。本実施例では、特定された楽曲の雰囲気が「ノリのよい雰囲気」のときには、定型文３を暫定的に選択するようになっている。
【００８５】
また、ステップＳ２３の処理に際して、本実施例では、図１０に示されるように、ジャンル１については、処理制御ユニット１１０は、利用者のジャンルに対する習熟度に関係なく、暫定選択された定型文を、そのまま楽曲関連情報の定型文に決定する。
【００８６】
また、本実施例では、ジャンル２については、処理制御ユニット１１０は、利用者が初心者に区分されているときに、定型文１に変更する。一方、ジャンル２について、利用者が中級者又は上級者に区分されるときには、処理制御ユニット１１０は、暫定選択された定型文を、そのまま楽曲関連情報の定型文に決定する。
【００８７】
また、本実施例では、ジャンル３については、処理制御ユニット１１０は、利用者が初心者に区分されているときに、定型文２に変更する。一方、ジャンル３について、利用者が中級者又は上級者に区分されるときには、処理制御ユニット１１０は、暫定選択された定型文を、そのまま楽曲関連情報の定型文に決定する。
【００８８】
《出力態様の決定処理》
上述したステップＳ１５における「楽曲関連情報の出力態様の決定処理」について、説明する。
【００８９】
この「楽曲関連情報の出力態様の決定処理」は、図１１に示されるように、まず、ステップＳ３１において、処理制御ユニット１１０が、「速度態様の設定処理」を行う。かかるステップＳ３１の処理の詳細については、後述する。そして、ステップＳ３１の処理が終了すると、処理はステップＳ３２へ進む。
【００９０】
ステップＳ３２では、処理制御ユニット１１０が、特定された楽曲の雰囲気に基づいて、楽曲関連情報の出力音声の高低音態様、イントネーション態様、及び、強弱態様を変化させる。ステップＳ３２の処理の例については、後述する。
【００９１】
引き続き、ステップＳ３３において、処理制御ユニット１１０が、利用者のジャンルに対する習熟度に応じて、楽曲関連情報の出力態様を決定する。ステップＳ３３の処理の例については、後述する。
【００９２】
ステップＳ３３の処理が終了すると、ステップＳ１５の処理が終了する。そして、処理は上述した図７のステップＳ１６へ進む。
【００９３】
（速度態様の設定処理）
上述したステップＳ３１における「楽曲関連情報の出力態様の速度態様の設定処理」について、説明する。
【００９４】
この「楽曲関連情報の出力態様の速度態様の設定処理」は、図１２に示されるように、まず、ステップＳ４１において、処理制御ユニット１１０が、再生指定された楽曲のテンポ（単位：Ｂｅａｔｓ Ｐｅｒ Ｍｉｎｕｔｅ）が第１所定値以下であるか否かを判定する。この判定の結果が肯定的であった場合（ステップＳ４１：Ｙ）には、処理はステップＳ４２へ進む。ステップＳ４２では、処理制御ユニット１１０が、楽曲関連情報の出力音声の速度を通常の話速より遅い第１速度に設定する。ステップＳ４２の処理が終了すると、ステップＳ３１の処理が終了する。そして、処理は上述した図１１のステップＳ３２へ進む。
【００９５】
ステップＳ４１における判定の結果が否定的であった場合（ステップＳ４１：Ｎ）には、処理はステップＳ４３へ進む。ステップＳ４３では、処理制御ユニット１１０が、再生指定された楽曲のテンポが第２所定値以下であるか否かを判定する。この判定の結果が肯定的であった場合（ステップＳ４３：Ｙ）には、処理はステップＳ４４へ進む。ステップＳ４４では、処理制御ユニット１１０が、楽曲関連情報の出力音声の速度を通常の話速である第２速度に設定する。ステップＳ４４の処理が終了すると、ステップＳ３１の処理が終了する。そして、処理は上述した図１１のステップＳ３２へ進む。
【００９６】
一方、ステップＳ４３における判定の結果が否定的であった場合（ステップＳ４３：Ｎ）には、処理はステップＳ４５へ進む。ステップＳ４５では、処理制御ユニット１１０が、楽曲関連情報の出力音声の速度を通常の話速よりも速い第３速度に設定する。ステップＳ４５の処理が終了すると、ステップＳ３１の処理が終了する。そして、処理は上述した図１１のステップＳ３２へ進む。
【００９７】
ここで、第１所定値及び第２所定値、並びに、第１速度、第２速度及び第３速度は、楽曲のテンポに応じた速度で楽曲関連情報の音声出力を行う観点から、実験、シミュレーション、経験等に基づいて、予め定められる。
【００９８】
ここで、図１１のステップＳ３２の処理に際して、本実施例では、図１３に示されるように、特定された楽曲の雰囲気が「落ち着いた雰囲気」のときには、処理制御ユニット１１０は、楽曲関連情報の出力音声の周波数を低めに設定し、楽曲関連情報の出力音声のイントネーションを通常にし、楽曲関連情報の出力音声の最後をやや弱くするように設定する。なお、楽曲の雰囲気が「落ち着いた雰囲気」のときに設定する、これらの設定値は、楽曲関連情報の出力音声に当り、「落ち着いた雰囲気」を演出することができるように、実験、シミュレーション、経験等に基づいて、予め定められる。
【００９９】
また、本実施例では、特定された楽曲の雰囲気が「標準的な雰囲気」のときには、処理制御ユニット１１０は、楽曲関連情報の出力音声の周波数を標準に設定し、楽曲関連情報の出力音声のイントネーションを通常にし、楽曲関連情報の出力音声の最後に強弱の変化をさせないようにするように設定する。ここで、楽曲の雰囲気が「標準的な雰囲気」のときに設定する、これらの設定値は、楽曲関連情報の出力音声に当り、「標準的な雰囲気」を演出することができるように、実験、シミュレーション、経験等に基づいて、予め定められる。
【０１００】
また、本実施例では、特定された楽曲の雰囲気が「ノリのよい雰囲気」のときには、処理制御ユニット１１０は、楽曲関連情報の出力音声の周波数を高めに設定し、楽曲関連情報の出力音声のイントネーションを上がり調子にし、楽曲関連情報の出力音声の最後にやや強くするように設定する。ここで、楽曲の雰囲気が「ノリのよい雰囲気」のときに設定する、これらの設定値は、楽曲関連情報の出力音声に当り、「ノリのよい雰囲気」を演出することができるように、実験、シミュレーション、経験等に基づいて、予め定められる。
【０１０１】
また、図１１のステップＳ３３の処理に際して、本実施例では、図１４に示されるように、利用者がジャンル１の初心者に区分されているときには、処理制御ユニット１１０は、楽曲関連情報の出力音声の速度を、ステップＳ３１で設定された速度よりも第１所定速度分だけ遅い速度に設定する。また、利用者がジャンル１の中級者又は上級者に区分されるときには、処理制御ユニット１１０は、ステップＳ３１で設定された速度を、そのまま楽曲関連情報の速度に決定する。
【０１０２】
また、本実施例では、利用者がジャンル２の初心者に区分されているときには、処理制御ユニット１１０は、楽曲関連情報の出力音声の速度を、ステップＳ３１で設定された速度よりも第１所定速度分だけ遅い速度に設定する。また、利用者がジャンル２の中級者又は上級者に区分されるときには、処理制御ユニット１１０は、ステップＳ３１で設定された速度を、そのまま楽曲関連情報の速度に決定する。
【０１０３】
また、本実施例では、利用者がジャンル３の初心者に区分されているときには、処理制御ユニット１１０は、楽曲関連情報の出力音声の速度を、ステップＳ３１で設定された速度よりも第１所定速度分だけ遅い速度に設定する。また、利用者がジャンル３の中級者に区分されるときには、処理制御ユニット１１０は、ステップＳ３１で設定された速度を、そのまま楽曲関連情報の速度に決定する。さらに、利用者がジャンル３の上級者に区分されているときには、楽曲関連情報の出力音声の速度を、ステップＳ３１で設定された速度よりも第２所定速度分だけ速い速度に設定する。
【０１０４】
ここで、第１所定速度及び第２所定速度は、利用者のジャンルに対する習熟度に合わせつつ、楽曲のテンポに応じた速度で楽曲関連情報の音声出力を行う観点から、実験、シミュレーション、経験等に基づいて、予め定められる。
【０１０５】
《出力タイミングの決定処理》
上述したステップＳ１６における「楽曲関連情報の出力タイミングの決定処理」について、説明する。以下では、再生される楽曲については、間奏区間は十分長く、間奏区間の時間長は、楽曲関連情報の出力時間長よりも長いものとする。
【０１０６】
この「楽曲関連情報の出力タイミングの決定処理」は、図１５に示されるように、まず、ステップＳ５１において、処理制御ユニット１１０が、再生指定された楽曲中にボーカル区間があるか否かを判定する。この判定の結果が否定的であった場合（ステップＳ５１：Ｎ）には、処理はステップＳ５２へ進む。ステップＳ５２では、処理制御ユニット１１０が、楽曲関連情報の出力タイミングを、楽曲コンテンツの再生開始から第１所定時間後に設定する。ここで、第１所定時間は、例えば、３秒であり、利用者が再生されている楽曲についての関連情報を知りたいという要望に応える観点から、経験等に基づいて、予め定められる。
【０１０７】
ステップＳ５２の処理が終了すると、ステップＳ１６の処理が終了する。そして、処理は上述した図７のステップＳ１７へ進む。
【０１０８】
一方、ステップＳ５１における判定の結果が肯定的であった場合（ステップＳ５１：Ｙ）には、処理はステップＳ５３へ進む。ステップＳ５３では、処理制御ユニット１１０が、「非ボーカル区間への設定処理」を行う。
【０１０９】
（非ボーカル区間への設定処理）
ステップＳ５３における「非ボーカル区間への設定処理」について、説明する。
【０１１０】
この「非ボーカル区間への設定処理」は、図１６に示されるように、まず、ステップＳ６１において、処理制御ユニット１１０が、楽曲関連情報の出力時間長ＴSPと第２所定時間αとの合計時間が、楽曲の非ボーカル区間であるイントロ区間の時間長ＴINTROより短いか否かを判定する。この判定の結果が肯定的であった場合（ステップＳ６１：Ｙ）には、処理はステップＳ６２へ進む。ステップＳ６２では、処理制御ユニット１１０が、イントロ区間に楽曲関連情報の出力区間を設定する。本実施例では、楽曲関連情報の出力区間の終了の後、第２所定時間αの経過後に、楽曲のボーカル区間が開始されるように、楽曲関連情報の出力区間を設定する。
【０１１１】
ここで、第２所定時間は、例えば、２秒であり、楽曲関連情報の音声出力が終了した後、ワンテンポをおいてからボーカル区間を開始させることで、再生される楽曲の演出効果を高めるとの観点から、経験等に基づいて、予め定められる。
【０１１２】
ステップＳ６２の処理が終了すると、ステップＳ５３の処理が終了する。こうしてステップＳ５３の処理が終了すると、上述した図１５のステップＳ１６が終了する。そして、処理は上述した図７のステップＳ１７へ進む。
【０１１３】
一方、ステップＳ６１における判定の結果が否定的であった場合（ステップＳ６１：Ｎ）には、処理はステップＳ６３へ進む。ステップＳ６３では、処理制御ユニット１１０が、楽曲関連情報の出力時間長ＴSPが楽曲の非ボーカル区間であるアウトロ区間の時間長ＴOUTROより短いか否かを判定する。この判定の結果が肯定的であった場合（ステップＳ６３：Ｙ）には、処理はステップＳ６４へ進む。ステップＳ６４では、処理制御ユニット１１０が、アウトロ区間に楽曲関連情報の出力区間を設定する。そして、処理制御ユニット１１０が、上述したステップＳ２３において決定した定型文が「定型文１」であった場合には、語尾を過去形に変更する。すなわち、処理制御ユニット１１０は、実際に採用する定型文を、『「Ｙ（作製年）」年の作品で、「Ａ（アーティスト名）」の「Ｓ（楽曲名）」でした。』とする。
【０１１４】
アウトロ区間に楽曲関連情報の出力区間を設定されると、ステップＳ６４の処理が終了する。こうしてステップＳ６４の処理が終了すると、ステップＳ５３の処理が終了し、上述した図１５のステップＳ１６の処理が終了する。そして、処理は上述した図７のステップＳ１７へ進む。
【０１１５】
ステップＳ６３における判定の結果が否定的であった場合（ステップＳ６３：Ｎ）には、処理はステップＳ６５へ進む。ステップＳ６５では、処理制御ユニット１１０が、間奏区間に楽曲関連情報の出力区間を設定する。
【０１１６】
間奏区間に楽曲関連情報の出力区間を設定されると、ステップＳ６５の処理が終了する。こうしてステップＳ６５の処理が終了すると、ステップＳ５３の処理が終了し、上述した図１５のステップＳ１６の処理が終了する。そして、処理は上述した図７のステップＳ１７へ進む。
【０１１７】
＜楽曲関連情報の出力処理＞
楽曲再生計画が作成されると、楽曲関連情報の出力処理が行われる。楽曲関連情報の出力処理に際しては、図１７に示されるように、まず、ステップＳ７１において、再生指定された楽曲音データに所定の音質調整処理等を施した楽曲再生処理を開始し、内部のタイマをスタートさせる。この後、処理はステップＳ７２へ進む。
【０１１８】
ステップＳ７２では、処理制御ユニット１１０が、音声再生計画に従って、楽曲関連情報の出力タイミングとなったか否かを判定する。この判定の結果が否定的であった場合（ステップＳ７２：Ｎ）には、ステップＳ７２の処理が繰り返される。
【０１１９】
楽曲関連情報の出力タイミングとなり、ステップＳ７２における判定の結果が肯定的になると（ステップＳ７２：Ｙ）、処理はステップＳ７３へ進む。ステップＳ７３では、処理制御ユニット１１０が、音声再生計画に従った出力態様で、楽曲関連情報から音声再生データを生成する。そして、処理制御ユニット１１０は、楽曲再生データ及び音声再生データを音出力ユニット１４０へ送る。
【０１２０】
この結果、音出力ユニット１４０から、楽曲再生データに基づく楽曲音が再生出力されるとともに、音声再生計画に従った出力態様での楽曲関連情報の再生音声が重畳されて出力される。
【０１２１】
以上説明したように、本実施例では、処理制御ユニット１１０が、再生指定された楽曲の属性情報に含まれるジャンル情報に基づいて、楽曲の雰囲気を特定し、記憶ユニット１２０に予め用意されている複数の定型文の中から、特定された楽曲の雰囲気に適合した一の定型文を選択する。そして、処理制御ユニット１１０は、選択された一の定型文に、再生指定された楽曲の作製年、楽曲名、アーティスト名等の属性情報の内容を反映した楽曲関連情報を生成する。このため、再生指定された楽曲の雰囲気に合った楽曲関連情報を生成することができる。
【０１２２】
また、本実施例では、特定された楽曲の雰囲気に加えて、利用者の楽曲に対する習熟度にも適合した一の定型文を選択する。このため、再生指定された楽曲の雰囲気に合わせつつ、利用者の習熟度に応じた楽曲関連情報を生成することができる。
【０１２３】
また、本実施例では、処理制御ユニット１１０が、再生指定された楽曲の属性情報及び特徴情報に基づいて、楽曲関連情報の出力音声の速度態様、高低音態様、イントネーション態様、及び、強弱態様を変化させる制御を行う。このため、再生指定された楽曲の雰囲気に合った出力態様で、楽曲関連情報の音声出力を行うことができる。
【０１２４】
また、本実施例では、楽曲の属性情報及び特徴情報に加えて、利用者の楽曲に対する習熟度に更に基づいて、楽曲関連情報の出力音声の速度態様を変化させる制御を行う。このため、再生指定された楽曲の雰囲気に合わせつつ、利用者の習熟度に応じた出力態様で、楽曲関連情報の音声出力を行うことができる。
【０１２５】
さらに、本実施例では、処理制御ユニット１１０が、楽曲関連情報の出力時間長及び楽曲の非ボーカル区間の時間長の関係に基づいて、楽曲関連情報の出力区間を非ボーカル区間に設定する。このため、楽曲関連情報の音声出力と楽曲におけるボーカルの音声出力とが重ならないようにして、楽曲関連情報の音声やボーカルの音声が聞き取れなくなることを防止しつつ、再生出力される楽曲の演出効果を高めることができる。
【０１２６】
したがって、本実施例によれば、再生される楽曲の演出効果を高めるための楽曲関連情報を出力することができる。
【０１２７】
［実施例の変形］
本発明は、上記の実施例に限定されるものではなく、様々な変形が可能である。
【０１２８】
例えば、上記の実施例では、楽曲の属性情報に含まれるジャンル情報に基づいて、楽曲の雰囲気を特定した。これに対し、楽曲の曲調情報に基づいて楽曲の雰囲気を特定するようにしてもよい。また、ジャンル情報及び曲調情報の双方に基づいて、楽曲の雰囲気を特定するようにしてもよい。
【０１２９】
また、上記の実施例では、楽曲のジャンル情報に基づいて、楽曲関連情報の出力態様を制御するようにした。これに対し、楽曲の曲調情報に基づいて楽曲関連情報の出力態様を制御するようにしてもよい。また、ジャンル情報及び曲調情報の双方に基づいて、楽曲関連情報の出力態様を制御するようにしてもよい。
【０１３０】
また、上記の実施例では、楽曲関連情報の出力態様として、楽曲関連情報の出力音声の速度態様、高低音態様、イントネーション態様、及び、強弱態様を変化させる制御を行うことにした。これに対し、これらの態様のうちから任意に選択された一又は複数の態様について、楽曲関連情報の出力制御を行うようにしてもよい。
【０１３１】
上記の実施例では、楽曲関連情報の出力時間長と設定された所定時間との合計時間が、楽曲の非ボーカル区間であるイントロ区間の時間長より短い場合には、楽曲関連情報の出力区間をイントロ区間に設定した。これに対し、楽曲のイントロが非常に特徴的（例えば、イントロでギターのリフレインが特徴的）で、楽曲関連情報の出力区間をイントロ区間に設定すると、楽曲の雰囲気を損なう可能性があるときには、イントロ区間以外の前記楽曲の非ボーカル区間に、楽曲関連情報の出力区間を設定するようにしてもよい。
【０１３２】
また、上記の実施例では、楽曲の属性情報には、楽曲コンテンツの作製年情報、楽曲名情報、アーティスト名情報、ジャンル情報が含まれるようにしたが、更に、楽曲が再生されているコマーシャル情報やテレビ番組の主題歌情報等が含まれるようにしてもよい。この場合には、楽曲が再生されているコマーシャル情報やテレビ番組を、楽曲関連情報に含めるようにすることができる。
【０１３３】
また、上記の実施例では、利用者の習熟度を判別する楽曲の種別として、楽曲のジャンルを採用した。これに対し、利用者の習熟度を判別する楽曲の種別を、楽曲の作製年とし、利用者の楽曲の作製年代に対する習熟度に基づいて、楽曲関連情報の出力態様を変化させる制御を行うようにしてもよい。また、利用者の習熟度を判別する楽曲の種別を、洋楽と邦楽とに区別し、利用者の楽曲の洋楽及び邦楽に対する習熟度に基づいて、楽曲関連情報の出力態様を変化させる制御を行うようにしてもよい。
【０１３４】
また、上記の実施例では、非ボーカル区間情報を、楽曲の特徴情報に含めることにした。これに対し、楽曲の属性情報に、非ボーカル区間情報を含めてもよいし、又、楽曲の特徴情報及び楽曲の属性情報の双方に、非ボーカル区間情報を含めるようにしてもよい。
【０１３５】
また、上記の実施例については、上述した実施形態に対する変形と同様の変形を適宜施すことができる。
【符号の説明】
【０１３６】
１００  …  情報出力装置
１１０  …  処理制御ユニット（生成部、制御部）
７００  …  情報出力装置
７５０  …  生成部
７９０  …  制御部
【図１】
2018112642.tif 000003
【図２】
2018112642.tif 000004
【図３】
2018112642.tif 000005
【図４】
2018112642.tif 000006
【図５】
2018112642.tif 000007
【図６】
2018112642.tif 000008
【図７】
2018112642.tif 000009
【図８】
2018112642.tif 000010
【図９】
2018112642.tif 000011
【図１０】
2018112642.tif 000012
【図１１】
2018112642.tif 000013
【図１２】
2018112642.tif 000014
【図１３】
2018112642.tif 000015
【図１４】
2018112642.tif 000016
【図１５】
2018112642.tif 000017
【図１６】
2018112642.tif 000018
【図１７】
2018112642.tif 000019